(57)【要約】      （修正有）【課題】漏油を抑制するＯＦケーブル等の油入り機器のコネクタ用管継手及び治具を提供する。【解決手段】ＯＦケーブル等の油入り機器のコネクタに接続される管継手において、継手本体のテーパ状開口部とは反対側の端部と、ニップルの頭部とは反対側の端部とを、一体に接合し、かつ、テーパ状開口部の内周面及び頭部の外周面に、パッキンを装着するパッキン用溝を形成した。また、ＯＦケーブル等の油入り機器のコネクタに装着する治具において、ニップル２Ｂの軸部１０Ｂに固定される環状金具６２と、ニップル２Ｂと袋ナット３Ｂを覆うと共に給油口１７を有する容器状金具６１と、容器状金具６１をコネクタ台座３０に固定する固定金具６３、６４と、から治具１００を構成して、給油や採油時における油の損失を改善するようにした。【選択図】図６
0003180688.tif 000002
【実用新案登録請求の範囲】
【請求項１】
外方に向かって広がるテーパ状開口部を有する継手本体、軸部の一端に球面状の頭部を有するニップル及び貫通孔を有する袋ナットから構成され、ＯＦケーブル等の油入り機器のコネクタに接続される管継手において、
継手本体１のテーパ状開口部６とは反対側の端部１８と、ニップル２の頭部７とは反対側の端部１９とを、一体に接合し、かつ、テーパ状開口部６の内周面及び頭部７の外周面に、Ｏリングなどのパッキン４を装着するパッキン用溝５を形成したことを特徴とする管継手。
【請求項２】
継手本体１のテーパ状開口部６とは反対側の端部１８と、ニップル２の頭部７とは反対側の端部１９とを、Ｔ型接続金具１３を介して一体に接合したことを特徴とする請求項１に記載の管継手。
【請求項３】
外方に向かって広がるテーパ状開口部を有するコネクタ台座、軸部の一端に球面状の頭部を有するニップル及び貫通孔を有する袋ナットを備え、コネクタ台座のテーパ状開口部にニップルの球面状の頭部を当接させて、袋ナットの貫通孔にニップルの軸部を挿通させた状態で袋ナットをコネクタ台座の小径雄ネジ部にねじ込んで、コネクタ台座にニップルを装着するようにしたＯＦケーブル等の油入り機器のコネクタに装着する治具において、
該治具は、袋ナット３Ｂの貫通孔１１から突出するニップル２Ｂの軸部１０Ｂに固定される環状金具６２と、環状金具６２が固定されたニップル２Ｂと袋ナット３Ｂを覆うと共に給油口１７を有する容器状金具６１と、容器状金具６１をコネクタ台座３０に固定する固定金具と、から構成されることを特徴とする治具。
【請求項４】
固定金具は、袋ナット３Ｂの下端に掛止する掛止部６７と雄ネジ部６８を有する２分割構造の下部固定金具６４と、下部固定金具６４の雄ネジ部６８にねじ込む雌ネジ部６９を有する上部固定金具６３と、から構成され、容器状金具６１を袋ナット３Ｂの上端に載置した状態で上部固定金具６３の雌ネジ部６９を下部固定金具６４の雄ネジ部６８にねじ込んで容器状金具６１をコネクタ台座３０に固定することを特徴とする請求項３に記載の治具。
【請求項５】
固定金具は、袋ナット３Ｂの下端にねじ係合する止めネジ７５をねじ込む雌ネジ部７３と雄ネジ部６８を有する環状の下部固定金具６５と、下部固定金具６５の雄ネジ部６８にねじ込む雌ネジ部６９を有する上部固定金具６３と、から構成され、容器状金具６１を袋ナット３Ｂの上端に載置した状態で上部固定金具６３の雌ネジ部６９を下部固定金具６５の雄ネジ部６８にねじ込んで容器状金具６１をコネクタ台座３０に固定することを特徴とする請求項３に記載の治具。
【請求項６】
固定金具は、雄ネジ部６８とコネクタ台座３０の大径雄ネジ部３１にねじ込む雌ネジ部７４を有する下部固定金具６６と、下部固定金具６６の雄ネジ部６８にねじ込む雌ネジ部６９を有する上部固定金具６３と、から構成され、容器状金具６１を袋ナット３Ｂの上端に載置した状態で上部固定金具６３の雌ネジ部６９を、下部固定金具６６の雄ネジ部６８にねじ込んで容器状金具６１をコネクタ台座３０に固定することを特徴とする請求項３に記載の治具。
【考案の詳細な説明】
【技術分野】
【０００１】
本考案は、高圧送電線路に使用されるＯＦケーブル等の油入り機器において、漏油を抑制するコネクタ用の管継手、及び、油入り機器への油補給作業中における油の放出を少なく抑えるコネクタ用の治具に関するものである。
【背景技術】
【０００２】
図１に示すように、ＯＦケーブル等の油入り機器のコネクタに用いられる従来の管継手は、給油や採油時にコネクタに取り付ける際に、継手本体１Ａと袋ナット３Ａによって継手本体１Ａに取り付けられたニップル２Ａとの接触点に、取付け及び締付けによる傷・変形が生じ易く、損傷した管継手の外部に油漏れが生じた場合に、継手本体１Ａ、ニップル２Ａ及び袋ナット３Ａを含む配管を取り替える必要があった。
一方で図４（ａ）に示されるＯＦケーブル等の油入り機器２０へ油補給を行うときに、従来の方法ではコネクタ台座３０のテーパ状開口部３３に当接された中実のニップル２Ｂ及び袋ナット３Ｂを取り外し、図４（ｂ）に示されるように、コネクタ台座３０に袋ナット３Ｂ、中心に穴が開いたニップル４１、及び、給油用配管４２からなる配管を接続して、給油や採油作業を行っていた。また、油入り機器２０内の圧力が０．６ＭＰａと高い場合もあり、この場合には、上述の配管接続換えを行うときに、油入り機器２０内部の油が大量（例えば３０Ｌ）に放出してしまうことがある。これに対して、油入り機器２０に補給する油量が少量（例えば１Ｌ）の場合もあり、補給油量に対して油の損失が極めて大きくなってしまう。
【考案の概要】
【考案が解決しようとする課題】
【０００３】
本考案は、上記の背景技術に係るＯＦケーブル等の油入り機器のコネクタが有する課題に鑑みてなされたものであり、漏油を抑制するように改善したＯＦケーブル等の油入り機器のコネクタ用の管継手、及び、給油や採油時における油の損失を改善したＯＦケーブル等の油入り機器のコネクタ用治具を提供することを目的とする。
このような給油や採油作業中の油の飛散を防止することによって、マスキングなどの飛散防止対策や、防護服、マスクまたはゴーグルなどの作業者の油付着防止対策を簡素化できるので、これらの防止対策を実施する時間を短縮でき、給油や採油作業の効率化が図れるうえに、防止対策にかかるコストを削減することができる。
【課題を解決するための手段】
【０００４】
そして、上述した課題を解決するために、請求項１の管継手に係る考案は、外方に向かって広がるテーパ状開口部を有する継手本体、軸部の一端に球面状の頭部を有するニップル及び貫通孔を有する袋ナットから構成され、ＯＦケーブル等の油入り機器のコネクタに接続される管継手において、継手本体１のテーパ状開口部６とは反対側の端部１８と、ニップル２の頭部７とは反対側の端部１９とを、一体に接合し、かつ、テーパ状開口部６の内周面及び頭部７の外周面に、Ｏリングなどのパッキン４を装着するパッキン用溝５を形成したことを特徴とする。
【０００５】
さらに、上述した課題を解決するために、請求項２の管継手に係る考案は、継手本体１のテーパ状開口部６とは反対側の端部１８と、ニップル２の頭部７とは反対側の端部１９とを、Ｔ型接続金具１３を介して一体に接合したことを特徴とする。
【０００６】
また、上述した課題を解決するために、請求項３の治具に係る考案は、外方に向かって広がるテーパ状開口部を有するコネクタ台座、軸部の一端に球面状の頭部を有するニップル及び貫通孔を有する袋ナットを備え、コネクタ台座のテーパ状開口部にニップルの球面状の頭部を当接させて、袋ナットの貫通孔にニップルの軸部を挿通させた状態で袋ナットをコネクタ台座の小径雄ネジ部にねじ込んで、コネクタ台座にニップルを装着するようにしたＯＦケーブル等の油入り機器のコネクタに装着する治具において、該治具は、袋ナット３Ｂの貫通孔１１から突出するニップル２Ｂの軸部１０Ｂに固定される環状金具６２と、環状金具６２が固定されたニップル２Ｂと袋ナット３Ｂを覆うと共に給油口１７を有する容器状金具６１と、容器状金具６１をコネクタ台座３０に固定する固定金具と、から構成されることを特徴とする。
【０００７】
さらに、上述した課題を解決するために、請求項４の治具に係る考案は、固定金具は、袋ナット３Ｂの下端に掛止する掛止部６７と雄ネジ部６８を有する２分割構造の下部固定金具６４と、下部固定金具６４の雄ネジ部６８にねじ込む雌ネジ部６９を有する上部固定金具６３と、から構成され、容器状金具６１を袋ナット３Ｂの上端に載置した状態で上部固定金具６３の雌ネジ部６９を下部固定金具６４の雄ネジ部６８にねじ込んで容器状金具６１をコネクタ台座３０に固定することを特徴とする。
【０００８】
さらにまた、上述した課題を解決するために、請求項５の治具に係る考案は、固定金具は、袋ナット３Ｂの下端にねじ係合する止めネジ７５をねじ込む雌ネジ部７３と雄ネジ部６８を有する環状の下部固定金具６５と、下部固定金具６５の雄ネジ部６８にねじ込む雌ネジ部６９を有する上部固定金具６３と、から構成され、容器状金具６１を袋ナット３Ｂの上端に載置した状態で上部固定金具６３の雌ネジ部６９を下部固定金具６５の雄ネジ部６８にねじ込んで容器状金具６１をコネクタ台座３０に固定することを特徴とする。
【０００９】
さらにまた、上述した課題を解決するために、請求項６の治具に係る考案は、固定金具は、雄ネジ部６８とコネクタ台座３０の大径雄ネジ部３１にねじ込む雌ネジ部７４を有する下部固定金具６６と、下部固定金具６６の雄ネジ部６８にねじ込む雌ネジ部６９を有する上部固定金具６３と、から構成され、容器状金具６１を袋ナット３Ｂの上端に載置した状態で上部固定金具６３の雌ネジ部６９を、下部固定金具６６の雄ネジ部６８にねじ込んで容器状金具６１をコネクタ台座３０に固定することを特徴とする。
【考案の効果】
【００１０】
請求項１の管継手に係る考案によれば、外方に向かって広がるテーパ状開口部を有する継手本体、軸部の一端に球面状の頭部を有するニップル及び貫通孔を有する袋ナットから構成され、ＯＦケーブル等の油入り機器のコネクタに接続される管継手において、継手本体１のテーパ状開口部６とは反対側の端部１８と、ニップル２の頭部７とは反対側の端部１９とを、一体に接合し、かつ、テーパ状開口部６の内周面及び頭部７の外周面に、Ｏリングなどのパッキン４を装着するパッキン用溝５を形成したので、このＯリング付管継手を損傷した管継手に装着することで配管を取り替えることなく、安価で容易に漏油を抑制することができる。
【００１１】
請求項２の管継手に係る考案によれば、継手本体１のテーパ状開口部６とは反対側の端部１８と、ニップル２の頭部７とは反対側の端部１９とを、Ｔ型接続金具１３を介して一体に接合したので、型式の異なる管継手の場合でも、損傷した管継手からの漏油を容易に抑制することができる。
【００１２】
請求項３の治具に係る考案によれば、外方に向かって広がるテーパ状開口部を有するコネクタ台座、軸部の一端に球面状の頭部を有するニップル及び貫通孔を有する袋ナットを備え、コネクタ台座のテーパ状開口部にニップルの球面状の頭部を当接させて、袋ナットの貫通孔にニップルの軸部を挿通させた状態で袋ナットをコネクタ台座の小径雄ネジ部にねじ込んで、コネクタ台座にニップルを装着するようにしたＯＦケーブル等の油入り機器のコネクタに装着する治具において、該治具は、袋ナット３Ｂの貫通孔１１から突出するニップル２Ｂの軸部１０Ｂに固定される環状金具６２と、環状金具６２が固定されたニップル２Ｂと袋ナット３Ｂを覆うと共に給油口１７を有する容器状金具６１と、容器状金具６１をコネクタ台座３０に固定する固定金具と、から構成されるので、環状金具６２によりニップル２Ｂと袋ナット３Ｂが連動して動くことでニップル２Ｂとコネクタ台座３０の間に圧力によって閉じない確実な隙間を設けることができるため、ニップル２Ｂ及び袋ナット３Ｂにより油が封止されている油入り機器２０のコネクタ台座３０の袋ナット３Ｂ及びニップル２Ｂを取り外すことなく、油入り機器２０からの油の放出を少なく抑えながら簡便に給油や採油の作業を行うことができる。
【００１３】
請求項４の治具に係る考案によれば、固定金具は、袋ナット３Ｂの下端に掛止する掛止部６７と雄ネジ部６８を有する２分割構造の下部固定金具６４と、下部固定金具６４の雄ネジ部６８にねじ込む雌ネジ部６９を有する上部固定金具６３と、から構成され、容器状金具６１を袋ナット３Ｂの上端に載置した状態で上部固定金具６３の雌ネジ部６９を下部固定金具６４の雄ネジ部６８にねじ込んで容器状金具６１をコネクタ台座３０に固定するので、簡便に治具１００をコネクタ台座３０に取り付けることができる。
【００１４】
請求項５の治具に係る考案によれば、固定金具は、袋ナット３Ｂの下端にねじ係合する止めネジ７５をねじ込む雌ネジ部７３と雄ネジ部６８を有する環状の下部固定金具６５と、下部固定金具６５の雄ネジ部６８にねじ込む雌ネジ部６９を有する上部固定金具６３と、から構成され、容器状金具６１を袋ナット３Ｂの上端に載置した状態で上部固定金具６３の雌ネジ部６９を下部固定金具６５の雄ネジ部６８にねじ込んで容器状金具６１をコネクタ台座３０に固定するので、治具１０１をコネクタ台座３０により確実に取り付けることができる。
【００１５】
請求項６の治具に係る考案によれば、固定金具は、雄ネジ部６８とコネクタ台座３０の大径雄ネジ部３１にねじ込む雌ネジ部７４を有する下部固定金具６６と、下部固定金具６６の雄ネジ部６８にねじ込む雌ネジ部６９を有する上部固定金具６３と、から構成され、容器状金具６１を袋ナット３Ｂの上端に載置した状態で上部固定金具６３の雌ネジ部６９を、下部固定金具６６の雄ネジ部６８にねじ込んで容器状金具６１をコネクタ台座３０に固定するので、簡便に治具１０２をコネクタ台座３０にさらに確実に取り付けることができる。
【図面の簡単な説明】
【００１６】
【図１】従来の管継手の断面図である。
【図２】図１の従来の管継手または図４（ａ）の従来のコネクタに装着することができる本考案に係る管継手の断面図である。
【図３】図２の管継手とは別の形態のＴ型管継手の断面図である。
【図４】（ａ）は、油入り機器に給油や採油を行う作業前の従来のコネクタの断面図であり、（ｂ）は、油入り機器に給油や採油を行う従来の治具を示す断面図である。
【図５】本考案に係る治具を構成する環状金具を装着した状態を示す断面図である。
【図６】（ａ）は、容器状金具及び２分割構造の下部固定金具を含む本考案における第１の実施形態の治具を示す断面図、（ｂ）は２分割構造の下部固定金具の平面図及び断面図である。
【図７】（ａ）は、容器状金具及び非分割構造の下部固定金具を含む本考案における第２の実施形態の治具を示す断面図、（ｂ）は下部固定金具の平面図及び断面図である。
【図８】（ａ）は、容器状金具、及び、雄ネジ部と雌ネジ部を有する下部固定金具を含む本考案における第３の実施形態の治具を示す断面図、（ｂ）は下部固定金具の平面図及び断面図である。
【考案を実施するための形態】
【００１７】
以下、本考案の好適な実施の形態を添付した図面に基づいて詳細に説明する。ここで、同一の構成要素または相当する構成要素については、同一の符号で示し、適宜その説明を省略する。
【００１８】
管継手
図２に示すように、本考案の実施の形態に係る管継手８は、外方に向かって広がるテーパ状開口部６を有する継手本体１と、軸部１０の一端に球面状の頭部７を有するニップル２と、貫通孔１１を有する袋ナット３と、から基本的に構成されている。この管継手８は、図２に示すように、継手本体１のテーパ状開口部６とは反対側の端部１８に、ニップル２の球面状の頭部７とは反対側の端部１９の全周を銀ローで固着することにより、一体に組み付けられている。この管継手８を使用する場合には、図１に示す従来の管継手の継手本体１Ａまたは図４に示すコネクタ台座３０のテーパ状開口部３３にニップル２の球面状の頭部７を当接させて、袋ナット３を継手本体１Ａの雄ネジ部またはコネクタ台座３０の小径雄ネジ部３２にねじ込んで、継手本体１Ａまたはコネクタ台座３０にニップル２が装着される。また、継手本体１には、図１に示す従来の管継手のニップル２Ａまたは図４（ａ），（ｂ）に示す従来のニップル２Ｂ、４１が装着される。
【００１９】
そして、図２に示すように、本考案の実施の形態に係る管継手８では、継手本体１のテーパ状開口部６とニップル２の球面状の頭部７それぞれに、Ｏリングなどのパッキン４を装着するためのパッキン用溝５が形成されている。このように、継手本体１のテーパ状開口部６とは反対側の端部１８と、ニップル２の頭部７とは反対側の端部１９とを、一体に接合し、かつ、テーパ状開口部６の内周面及び頭部７の外周面に、Ｏリングなどのパッキン４を装着するパッキン用溝５を形成したので、損傷した管継手からの漏油を容易に抑制することが可能になる。
【００２０】
図４に示される従来のコネクタに管継手８を使用する場合には、このコネクタにおけるニップル２Ｂ及び袋ナット３Ｂを取り外し、コネクタ台座３０のテーパ状開口部３３に、図２における管継手８のニップル２の球面状の頭部７を当接させて、管継手８の袋ナット３をコネクタ台座３０の小径雄ネジ部３２にねじ込んで、コネクタ台座３０に管継手８を固定することで、管継手８はＯＦケーブル等の油入り機器のコネクタ用管継手として用いられる。
【００２１】
また、図３に示されるように、本考案に係る他の実施形態として、図２に示すような直継手（管継手８）と図１に示す従来の継手本体１Ａを組み合わせて、つまり、継手本体１，１Ａとニップル２をティーズ（Ｔ型接続金具）１３を介して、それぞれの端部を全周銀ロー付け１４加工で固着してＴ型管継手１５を構成することもできる。
【００２２】
治具の実施形態１
次に、本考案の実施形態１に係る治具１００について説明する。
治具１００は、図６（ａ）に示すように、大別すると、環状金具６２と容器状金具６１と、固定金具６３、６４とからなり、必要に応じて、固定金具６４の代わりに図７（ｂ）及び図８（ｂ）に示すような実施形態２、３に係る固定金具６５または６６を含むことができる。
図６に示すように、本考案の実施形態１に係る治具１００は、従来のＯＦケーブル等の油入り機器のコネクタ（図４（ａ）参照）、すなわち、外方に向かって広がるテーパ状開口部３３を有するコネクタ台座３０と、軸部１０Ｂの一端に球面状の頭部７Ｂを有するニップル２Ｂと、貫通孔１１を有する袋ナット３Ｂと、を備えているコネクタに接続して使用するものである。従来のコネクタは、コネクタ台座３０のテーパ状開口部３３にニップル２Ｂの球面状の頭部７Ｂを当接させて、袋ナット３Ｂの貫通孔１１にニップル２Ｂの軸部１０Ｂを挿通させた状態で袋ナット３Ｂをコネクタ台座３０の小径雄ネジ部３２にねじ込んで、コネクタ台座３０にニップル２Ｂを装着することによって、ＯＦケーブル等の油入り機器のコネクタとして用いられる。
そして、実施形態１に係る治具１００は、袋ナット３Ｂの貫通孔１１から突出するニップル２Ｂの軸部１０Ｂに固定される環状金具６２と、環状金具６２が固定されたニップル２Ｂと袋ナット３Ｂを覆うと共に油供給口１７、すなわち、給油パイプ６０を有する容器状金具６１と、容器状金具６１をコネクタ台座３０に固定する固定金具６３、６４と、から構成される。
【００２３】
従来のコネクタは、図４に示すように、給油や採油時に袋ナット３Ｂ及びニップル２Ｂを取り外して、中心に孔のあいたニップル４１と給油用配管４２を接続する必要があるが、本考案の実施形態１に係る治具１００は、給油作業者が、図５に示すように、ニップル２Ｂの軸部１０Ｂに環状金具６２を嵌めて、環状金具６２に形成したネジ孔に止めネジ７２をねじ込んで環状金具６２をこの軸部１０Ｂに固定する。この状態で給油作業を行うことができる準備状態となる。なお、採油作業のみの場合は、環状金具６２の装着は行わない。
【００２４】
次に、図６に示すように、図５の状態のコネクタに給油を行うための容器状金具６１を固定金具６３、６４によりコネクタ台座３０に取り付ける。具体的には、図６（ａ）、（ｂ）に示すように、治具１００の固定金具は、袋ナット３Ｂの下端に掛止する掛止部６７（内向き掛止部）と雄ネジ部６８と嵌合用ピン８０を有する２分割構造の下部固定金具６４と、下部固定金具６４の雄ネジ部６８にねじ込む雌ネジ部６９を有する上部固定金具６３と、から構成されている。そして、コネクタに給油パイプ６０を有する容器状金具６１を固定する場合には、容器状金具６１を袋ナット３Ｂの上端に載置した状態で上部固定金具６３の雌ネジ部６９を袋ナット３Ｂの下端に掛止された下部固定金具６４の雄ネジ部６８にねじ込んで容器状金具６１をコネクタ台座３０に固定する。この場合、２分割構造の下部固定金具６４の各半部を嵌合用ピン８０で嵌合して、下部固定金具６４の下端に設けた内向き掛止部６７を袋ナット３Ｂの下端に掛止させて、下部固定金具６４を袋ナット３Ｂに仮止めする。その後、袋ナット３Ｂの上端に容器状金具６１を載置して、上部固定金具６３を容器状金具６１に嵌合して、上部固定金具６３の雌ネジ部６９を下部固定金具６４の雄ネジ部６８にねじ込む。すると、上部固定金具６３の上端に設けた内向きフランジが、容器状金具６１の下端に設けた外向きフランジを上方から押圧すると共に、容器状金具６１を袋ナット３Ｂの上面に押し付けることにより、容器状金具６１をコネクタ台座３０に固定することができる。
【００２５】
１７は給油パイプ６０の給油口で、給油パイプ６０は容器状金具６１の上端にパッキン７０を介して連結されており、この給油口１７に図示していない給油管が接続される。
【００２６】
なお、実施形態１に係る治具１００は、容器状金具６１と給油パイプ６０との間にパッキン７０が、容器状金具６１と袋ナット３Ｂとの間にパッキン７１が装着されており、これら二つのパッキン７０、７１により、コネクタに治具１００を取り付けた場合に、外部への漏油をシールする。また油補給時には、油入り機器２０内部の油２１の圧力よりも高い圧力で補給油１６を給油パイプ６０の給油口１７から注入する。
【００２７】
治具の実施形態２
次に、本考案の実施形態２に係る治具１０１について説明する。
治具１０１は、図７（ａ）に示すように、大別すると、環状金具６２と容器状金具６１と、固定金具６３、６５とからなる。
図７に示すように、本考案の実施形態２に係る治具１０１は、従来のＯＦケーブル等の油入り機器のコネクタ（図４（ａ）参照）、すなわち、外方に向かって広がるテーパ状開口部３３を有するコネクタ台座３０と、軸部１０Ｂの一端に球面状の頭部７Ｂを有するニップル２Ｂと、貫通孔１１を有する袋ナット３Ｂと、を備えているコネクタに接続して使用するものである。
そして、実施形態２に係る治具１０１は、袋ナット３Ｂの貫通孔１１から突出するニップル２Ｂの軸部１０Ｂに固定される環状金具６２と、環状金具６２が固定されたニップル２と袋ナット３Ｂを覆うと共に油供給口１７、すなわち、給油パイプ６０を有する容器状金具６１と、容器状金具６１をコネクタ台座３０に固定する固定金具６３、６５と、から構成される。
【００２８】
実施形態２に係る治具１０１は、本考案の実施形態１に係る治具１００と同様に給油作業者が、図５に示すように、ニップル２Ｂの軸部１０Ｂに環状金具６２を嵌めて、環状金具６２に形成したネジ孔に止めネジ７２をねじ込んで環状金具６２をこの軸部１０Ｂに固定する。なお、実施形態１に係る治具１００と同様に、採油作業のみの場合は、環状金具６２の装着は行わない。
【００２９】
次に、図７に示すように、図５の状態のコネクタに給油を行うための容器状金具６１を固定金具６３、６５によりコネクタ台座３０に取り付ける。具体的には、図７（ａ）、（ｂ）に示すように、治具１０１の固定金具は、袋ナット３Ｂの下端にねじ係合する止めネジ７５をねじ込む雌ネジ部７３と雄ネジ部６８を有する環状の下部固定金具６５と、下部固定金具６５の雄ネジ部６８にねじ込む雌ネジ部６９を有する上部固定金具６３と、から構成されている。そして、コネクタに給油パイプ６０を備えた容器状金具６１を固定する場合には、容器状金具６１を袋ナット３Ｂの上端に載置した状態で上部固定金具６３の雌ネジ部６９を下部固定金具６５の雄ネジ部６８にねじ込んで容器状金具６１をコネクタ台座３０に固定する。この場合、下部固定金具６５を袋ナット３Ｂの外周に嵌合して、下部固定金具６５の雌ネジ部７３に止めネジ７５をねじ込んで、下部固定金具６５を袋ナット３Ｂに固定する。その後、袋ナット３Ｂの上端に容器状金具６１を載置して、容器状金具６１に上部固定金具６３を嵌合して、上部固定金具６３の雌ネジ部６９を下部固定金具６５の雄ネジ部６８にねじ込む。すると、上部固定金具６３の上端に設けた内向きフランジが、容器状金具６１の下端に設けた外向きフランジを上方から押圧すると共に、上部固定金具６３の雌ネジ部６９を下部固定金具６５の雄ネジ部６８にねじ込むことにより、容器状金具６１をコネクタ台座３０により確実に固定することができる。
【００３０】
なお、実施形態２に係る治具１０１は、実施形態１に係る治具１００と同様に、容器状金具６１と給油パイプ６０との間にパッキン７０が、容器状金具６１と袋ナット３Ｂとの間にパッキン７１が装着されており、これら二つのパッキン７０、７１により、コネクタに治具１０１を取り付けた場合に、外部への漏油をシールする。
【００３１】
治具の実施形態３
次に、本考案の実施形態３に係る治具１０２について説明する。
治具１０２は、図８（ａ）に示すように、大別すると、環状金具６２と容器状金具６１と、固定金具６３、６６とからなる。
図８に示すように、本考案の実施形態３に係る治具１０２は、従来のＯＦケーブル等の油入り機器のコネクタ（図４（ａ）参照）、すなわち、外方に向かって広がるテーパ状開口部３３を有するコネクタ台座３０と、軸部１０Ｂの一端に球面状の頭部７Ｂを有するニップル２Ｂと、貫通孔１１を有する袋ナット３Ｂと、を備えているコネクタに接続して使用するものである。
そして、実施形態３に係る治具１０２は、袋ナット３Ｂの貫通孔１１から突出するニップル２Ｂの軸部１０Ｂに固定される環状金具６２と、環状金具６２が固定されたニップル２と袋ナット３Ｂを覆うと共に油供給口１７、すなわち、給油パイプ６０を有する容器状金具６１と、容器状金具６１をコネクタ台座３０に固定する固定金具６３、６６と、から構成される。
【００３２】
実施形態３に係る治具１０２は、本考案の実施形態１、２に係る治具１００、１０１と同様に、給油作業者が、図５に示すように、ニップル２Ｂの軸部１０Ｂに環状金具６２を嵌めて、環状金具６２に形成したネジ孔に止めネジ７２をねじ込んで環状金具６２をこの軸部１０Ｂに固定する。なお、実施形態１、２に係る治具１００、１０１と同様に、採油作業のみの場合は、環状金具６２の装着は行わない。
【００３３】
次に、図８に示すように、図５の状態のコネクタに給油を行うための容器状金具６１を固定金具６３、６６によりコネクタ台座３０に取り付ける。具体的には、図８（ａ）、（ｂ）に示すように、治具１０２の固定金具は、雄ネジ部６８とコネクタ台座３０の大径雄ネジ部３１にねじ込む雌ネジ部７４を有する下部固定金具６６と、下部固定金具６６の雄ネジ部６８にねじ込む雌ネジ部６９を有する上部固定金具６３と、から構成されている。そして、コネクタに給油パイプ６０を有する容器状金具６１を固定する場合には、容器状金具６１を袋ナット３Ｂの上端に載置した状態で上部固定金具６３の雌ネジ部６９を、コネクタ台座３０の大径雄ネジ部３１に雌ネジ部７４をねじ込んだ下部固定金具６６の雄ネジ部６８にねじ込んで容器状金具６１をコネクタ台座３０に固定する。この場合、下部固定金具６６を袋ナット３Ｂの外周に嵌合して、下部固定金具６６の雌ネジ部７４をコネクタ台座３０の大径雌ネジ部３１にねじ込んで、下部固定金具６６をコネクタ台座３０に固定する。その後、袋ナット３Ｂの上端に容器状金具６１を載置して、容器状金具６１に上部固定金具６３を嵌合して、上部固定金具６３の雌ネジ部６９を、コネクタ台座３０の大径雄ネジ部３１に雌ネジ部７４をねじ込んだ下部固定金具６６の雄ネジ部６８にねじ込む。すると、上部固定金具６３の上端に設けた内向きフランジが、容器状金具６１の下端に設けた外向きフランジを上方から押圧すると共に、上部固定金具６３の雌ネジ部６９を、下部固定金具６６の雄ネジ部６８にねじ込むことにより、容器状金具６１をコネクタ台座３０にさらに確実に固定することができる。
【００３４】
なお、実施形態３に係る治具１０２は、実施形態１、２の治具１００、１０１と同様に、容器状金具６１と給油パイプ６０との間にパッキン７０が、容器状金具６１と袋ナット３Ｂとの間にパッキン７１が装着されており、これら二つのパッキン７０、７１により、コネクタに治具１０２を取り付けた場合に、外部への漏油をシールする。
【産業上の利用可能性】
【００３５】
本考案におけるＯＦケーブル等の油入り機器のコネクタ用管継手及び治具は、油を加圧するためのガス入り機器等に応用することができる。
【符号の説明】
【００３６】
１…継手本体、  ２…ニップル、  ３…袋ナット、  ４…パッキン、  ５…パッキン用溝、  ６、３３…テーパ状開口部、  ７…球面状の頭部、  ８…管継手、  １０…軸部、    １１…貫通孔、    １２…継手本体の雄ネジ部、    １７…給油口、  １８、１９…端部  ３０…コネクタ台座、  ３１…コネクタ台座の大径雄ネジ部、  ３２…コネクタ台座の小径雄ネジ部、    ６０…給油パイプ、    ６１…容器状金具、  ６２…環状金具、  ６３…上部固定金具、  ６４、６５、６６…下部固定金具、    ６７…掛止部、    ６８…下部固定金具の雄ネジ部、    ６９…上部固定金具の雌ネジ部、    ７３、７４…下部固定金具の雌ネジ部、    ７５…止めネジ
【図１】
0003180688.tif 000003
【図２】
0003180688.tif 000004
【図３】
0003180688.tif 000005
【図４】
0003180688.tif 000006
【図５】
0003180688.tif 000007
【図６】
0003180688.tif 000008
【図７】
0003180688.tif 000009
【図８】
0003180688.tif 000010